【手続補正書】
【提出日】平成18年11月30日(2006.11.30)
【手続補正１】
【補正対象書類名】明細書
【補正対象項目名】発明の名称
【補正方法】変更
【補正の内容】
【発明の名称】磁気記録再生装置
【手続補正２】
【補正対象書類名】明細書
【補正対象項目名】特許請求の範囲
【補正方法】変更
【補正の内容】
【特許請求の範囲】
【請求項１】  カセット内に収納されたテープを引き出し、前記テープを回転するヘッドを有するドラムに巻きつけて記録再生を行なう磁気記録再生装置であって、
前記ドラムを支持するドラムベースと、
前記テープの上下方向の走行方向を変える非可動の主傾斜ポストとを備え、
前記主傾斜ポストは、上端部に前記テープの垂直方向の移動を規制する垂直方向規制部を有し、
前記垂直方向規制部は前記主傾斜ポストと軸心が同一であり、かつ、該垂直方向規制部の該主傾斜ポストの頭部側の最小半径が該主傾斜ポストの半径よりも小さいことを特徴とする磁気記録再生装置。
【請求項２】  請求項１記載の磁気記録再生装置において、前記垂直方向規制部は、前記主傾斜ポストと一体で形成されることを特徴とする磁気記録再生装置。
【請求項３】  請求項２記載の磁気記録再生装置において、前記主傾斜ポストは、金属によって形成されることを特徴とする磁気記録再生装置。
【請求項４】  カセット内に収納されたテープを引き出し、前記テープを回転するヘッドを有するドラムに巻きつけて記録再生を行なう磁気記録再生装置であって、
前記ドラムを支持するドラムベースと、
前記テープの上下方向の走行方向を変える非可動の主傾斜ポストとを備え、
前記主傾斜ポストは、下端部に前記テープの垂直方向の移動を規制する垂直方向規制部を有し、
前記垂直方向規制部は、前記ドラムベースと一体で形成されることを特徴とする磁気記録再生装置。
【請求項５】  請求項４記載の磁気記録再生装置において、前記垂直方向規制部は、螺旋状を呈することを特徴とする磁気記録再生装置。
【請求項６】  請求項４記載の磁気記録再生装置において、前記ドラムベースは、樹脂類によって形成されることを特徴とする磁気記録再生装置。
【請求項７】  請求項１または４記載の磁気記録再生装置において、前記ドラムベースは、前記主傾斜ポストの取り付け面側に開口するＶ字状の溝部を有し、前記Ｖ字状の溝部に前記主傾斜ポストの所定部位を接着固定することを特徴とする磁気記録再生装置。
【請求項８】  請求項７記載の磁気記録再生装置において、前記ドラムベースは、前記Ｖ字状の溝部と前記主傾斜ポストとの接着所定部位の稜線部分に接着材のはみ出し用面取部を有することを特徴とする磁気記録再生装置。
【請求項９】  請求項７または８記載の磁気記録再生装置において、前記Ｖ字状の溝部の開口角度が９０度以上であることを特徴とする磁気記録再生装置。
【請求項１０】  請求項７乃至９の何れかに記載の磁気記録再生装置において、前記ドラムベースは、前記Ｖ字状の溝部の入り隅部に前記主傾斜ポストの半径より小なる曲率半径の湾曲面部を有することを特徴とする磁気記録再生装置。
【手続補正３】
【補正対象書類名】明細書
【補正対象項目名】０００４
【補正方法】変更
【補正の内容】
【０００４】
本発明は、上述の事情に鑑みて成されたもので、ローディング時のテープに対する歪等のストレスを軽減し、小型のテープパスにおいてもローディング時のテープダメージをなくし、安価、且つ小型化した磁気記録再生装置を提供することを目的とする。
【手続補正４】
【補正対象書類名】明細書
【補正対象項目名】０００６
【補正方法】変更
【補正の内容】
【０００６】
（１）カセット内に収納されたテープを引き出し、前記テープを回転するヘッドを有するドラムに巻きつけて記録再生を行なう磁気記録再生装置であって、前記ドラムを支持するドラムベースと、前記テープの上下方向の走行方向を変える非可動の主傾斜ポストとを備え、前記主傾斜ポストは、上端部に前記テープの垂直方向の移動を規制する垂直方向規制部を有し、前記垂直方向規制部は前記主傾斜ポストと軸心が同一であり、かつ、該垂直方向規制部の該主傾斜ポストの頭部側の最小半径が該主傾斜ポストの半径よりも小さいことを特徴とする磁気記録再生装置。
（２）前記（１）記載の磁気記録再生装置において、前記垂直方向規制部は、前記主傾斜ポストと一体で形成されることを特徴とする磁気記録再生装置。
（３）前記（２）記載の磁気記録再生装置において、前記主傾斜ポストは、金属によって形成されることを特徴とする磁気記録再生装置。
（４）カセット内に収納されたテープを引き出し、前記テープを回転するヘッドを有するドラムに巻きつけて記録再生を行なう磁気記録再生装置であって、前記ドラムを支持するドラムベースと、前記テープの上下方向の走行方向を変える非可動の主傾斜ポストとを備え、前記主傾斜ポストは、下端部に前記テープの垂直方向の移動を規制する垂直方向規制部を有し、前記垂直方向規制部は、前記ドラムベースと一体で形成されることを特徴とする磁気記録再生装置。
（５）前記（４）記載の磁気記録再生装置において、前記垂直方向規制部は、螺旋状を呈することを特徴とする磁気記録再生装置。
（６）前記（４）記載の磁気記録再生装置において、前記ドラムベースは、樹脂類によって形成されることを特徴とする磁気記録再生装置。
（７）前記（１）または（４）記載の磁気記録再生装置において、前記ドラムベースは、前記主傾斜ポストの取り付け面側に開口するＶ字状の溝部を有し、前記Ｖ字状の溝部に前記主傾斜ポストの所定部位を接着固定することを特徴とする磁気記録再生装置。
（８）前記（７）記載の磁気記録再生装置において、前記ドラムベースは、前記Ｖ字状の溝部と前記主傾斜ポストとの接着所定部位の稜線部分に接着材のはみ出し用面取部を有することを特徴とする磁気記録再生装置。
（９）前記（７）または（８）記載の磁気記録再生装置において、前記Ｖ字状の溝部の開口角度が９０度以上であることを特徴とする磁気記録再生装置。
（１０）前記（７）乃至（９）の何れかに記載の磁気記録再生装置において、前記ドラムベースは、前記Ｖ字状の溝部の入り隅部に前記主傾斜ポストの半径より小なる曲率半径の湾曲面部を有することを特徴とする磁気記録再生装置。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００５７
【補正方法】変更
【補正の内容】
【００５７】
（実施例２）
勿論、実施例２の図６（ｂ）に示すように主傾斜ポスト８と直結して一体の形でテーパー部８ａを金属で形成することも可能である。
【手続補正１８】
【補正対象書類名】明細書
【補正対象項目名】００５９
【補正方法】変更
【補正の内容】
【００５９】
図８（ａ）は、主傾斜ポスト８をドラムベース２へ固定した状態を示す側面説明図である。